(57)【要約】  簡易な調整手段により、光ディスクの反りや面振れ等に対するレンズの追従性を持たせることを目的とする。この目的を達成するため、この実施形態に係るレンズ移動装置１００は、レンズ支持体１０４と、第１の焦点方向位置調整手段１０１と、第２の焦点方向位置調整手段１０２とを含んで構成される。第１の焦点方向位置調整手段１０１は、レンズ支持体１０４の走査方向内側ＩＮに設けられて、磁力Ｐ1によりレンズ１０３の焦点方向Ｆの位置を調整する。第２の焦点方向位置調整手段１０２は、レンズ支持体１０４の走査方向外側ＯＵＴ側に設けられて、磁力によりレンズ１０３の焦点方向Ｆの位置を調整し、かつ第１の焦点方向位置調整手段１０１よりも大きい磁力Ｐ2を発生する。【特許請求の範囲】
【請求項１】
光源（２０ａ、２０ｂ）からの光を記録媒体（１０５）に照射するレンズ（１０３）を支持するレンズ支持体（１０４）と、
前記レンズ支持体（１０４）の、前記記録媒体（１０５）に対する前記レンズ（１０３）の走査方向内側に設けられて、磁力により前記レンズ（１０３）の焦点方向の位置を調整する第１の焦点方向位置調整手段（１０１）と、
前記レンズ支持体（１０４）の、前記記録媒体（１０５）に対する前記レンズ（１０３）の走査方向外側に設けられて、磁力により前記レンズ（１０３）の焦点方向の位置を調整し、かつ、前記第１の焦点方向位置調整手段（１０１）よりも大きい磁力を発生する第２の焦点方向位置調整手段（１０２）と、
を含むことを特徴とするレンズ移動装置。
【請求項２】
前記第１の焦点方向位置調整手段（１０１）及び前記第２の焦点方向位置調整手段（１０２）はコイルであり、
前記第２の焦点方向位置調整手段（１０２）の巻き数は、前記第１の焦点方向位置調整手段（１０１）の巻き数よりも多いことを特徴とする請求項１に記載のレンズ移動装置。
【請求項３】
前記第１の焦点方向位置調整手段（１０１）及び前記第２の焦点方向位置調整手段（１０２）はコイルであり、
前記記録媒体（１０５）に対する前記レンズ（１０３）の走査方向における前記第２の焦点方向位置調整手段（１０２）の磁力発生幅は、前記記録媒体（１０５）に対する前記レンズ（１０３）の走査方向における前記第１の焦点方向位置調整手段（１０１）の磁力発生幅よりも大きいことを特徴とする請求項１又は２に記載のレンズ移動装置。
【請求項４】
前記第１の焦点方向位置調整手段（１０１）及び前記第２の焦点方向位置調整手段（１０２）は、前記レンズ支持体（１０４）に設けられる基板（５１）の表面に形成されることを特徴とする請求項１又は２に記載のレンズ移動装置。
【請求項５】
前記第１の焦点方向位置調整手段（１０１）及び前記第２の焦点方向位置調整手段（１０２）はコイルであり、
前記記録媒体（１０５）に対する前記レンズ（１０３）の走査方向における前記第２の焦点方向位置調整手段（１０２）の磁力発生幅は、前記記録媒体（１０５）に対する前記レンズ（１０３）の走査方向における前記第１の焦点方向位置調整手段（１０１）の磁力発生幅よりも大きく、
前記第１の焦点方向位置調整手段（１０１）及び前記第２の焦点方向位置調整手段（１０２）は、前記レンズ支持体（１０４）に設けられる基板（５１）の表面に形成されることを特徴とする請求項１又は２に記載のレンズ移動装置。
【請求項６】
光ディスク（１９）を回転させる光ディスク駆動手段（８）と、
前記光ディスク（１９）に光を照射するための光源（２０ａ、２０ｂ）と、
光源（２０ａ、２０ｂ）からの光を記録媒体（１０５）に照射するレンズ（１０３）を支持するレンズ支持体（１０４）と、前記レンズ支持体（１０４）の、前記記録媒体（１０５）に対する前記レンズ（１０３）の走査方向内側に設けられて、磁力により前記レンズ（１０３）の焦点方向の位置を調整する第１の焦点方向位置調整手段（１０１）と、前記レンズ支持体（１０４）の、前記記録媒体（１０５）に対する前記レンズ（１０３）の走査方向外側に設けられて、磁力により前記レンズ（１０３）の焦点方向の位置を調整し、かつ、前記第１の焦点方向位置調整手段（１０１）よりも大きい磁力を発生する第２の焦点方向位置調整手段（１０２）と、を含んで構成されるレンズ移動装置（４０；４０ａ；１００）と、
を含むことを特徴とするディスク装置。
【請求項７】
前記第１の焦点方向位置調整手段（１０１）及び前記第２の焦点方向位置調整手段（１０２）はコイルであり、
前記第２の焦点方向位置調整手段（１０２）の巻き数は、前記第１の焦点方向位置調整手段（１０１）の巻き数よりも多いことを特徴とする請求項６に記載のディスク装置。
【請求項８】
前記第１の焦点方向位置調整手段（１０１）及び前記第２の焦点方向位置調整手段（１０２）はコイルであり、
前記記録媒体（１０５）に対する前記レンズ（１０３）の走査方向における前記第２の焦点方向位置調整手段（１０２）の磁力発生幅は、前記記録媒体（１０５）に対する前記レンズ（１０３）の走査方向における前記第１の焦点方向位置調整手段（１０１）の磁力発生幅よりも大きいことを特徴とする請求項６又は７に記載のディスク装置。
【請求項９】
前記第１の焦点方向位置調整手段（１０１）及び前記第２の焦点方向位置調整手段（１０２）は、前記レンズ支持体（１０４）に設けられる基板（５１）の表面に形成されることを特徴とする請求項６又は７に記載のディスク装置。
【請求項１０】
前記第１の焦点方向位置調整手段（１０１）及び前記第２の焦点方向位置調整手段（１０２）はコイルであり、
前記記録媒体（１０５）に対する前記レンズ（１０３）の走査方向における前記第２の焦点方向位置調整手段（１０２）の磁力発生幅は、前記記録媒体（１０５）に対する前記レンズ（１０３）の走査方向における前記第１の焦点方向位置調整手段（１０１）の磁力発生幅よりも大きく、
前記第１の焦点方向位置調整手段（１０１）及び前記第２の焦点方向位置調整手段（１０２）は、前記レンズ支持体（１０４）に設けられる基板（５１）の表面に形成されることを特徴とする請求項６又は７に記載のディスク装置。
【発明の詳細な説明】
【技術分野】
【０００１】
本発明は、光ディスク装置が備える光ピックアップのレンズの位置を調整する技術に関する。
【背景技術】
【０００２】
光ディスク等に記録された情報の再生、あるいは光ディスク等に対して情報の記録、再生を行うディスク装置では、情報の読み取りあるいは情報の記録に用いる光を光学系に設けられたレンズによって収束して、光ディスクへ照射する。このレンズは、一般に支持体へ取り付けられるとともに、支持体に設けられるコイルが発生する磁界によって、焦点方向の位置や走査方向の位置が調整される。特許文献１には、レンズホルダを複数のばねで揺動可能に支持する光ピックアップが開示されている。【０００３】
【特許文献１】特開２００３−３４６３６８号公報
【発明の開示】
【発明が解決しようとする課題】
【０００４】
ところで、光ディスクは一見すると平面に見えるが、製造ばらつきや使用環境等によって、反りが発生することがある。また、光ディスクは高速で回転するため、光ディスクの質量バランスに偏りがあると、これに起因して光ディスクの面振れが発生することもある。光ディスクに反りが発生したり、回転中に面振れが発生したりすると、光ディスクの傾きが発生して、情報の読み取り性能等に影響を与える。このため、情報の読み取りや記録時には、レンズを光ディスクの記録面等の傾きに対して追従させて、光ディスクの傾きとレンズの傾きとの差を一定値内に維持する必要がある。【０００５】
特許文献１に開示されている技術では、レンズホルダを支持するばねの寸法や形状等を調整することによって異なるばね定数のばねでレンズホルダを支持することにより、レンズが焦点方向に移動するときにレンズを光ディスクの反りに追従させることが考えられる。しかし、レンズホルダを支持するばねは線径が数十μｍと小さく、ばねの寸法や形状等を数μｍのオーダーで調整することは困難である。【０００６】
そこで、本発明は、上述した課題をその一例として解決するものであって、簡易な調整手段により、光ディスクの反りや面振れ等に対するレンズの追従性を持たせることができるレンズ移動装置及びディスク装置を提供することを目的とする。
【課題を解決するための手段】
【０００７】
請求項１に記載の発明は、光源からの光を記録媒体に照射するレンズを支持するレンズ支持体と、前記レンズ支持体の、前記記録媒体に対する前記レンズの走査方向内側に設けられて、磁力により前記レンズの焦点方向の位置を調整する第１の焦点方向位置調整手段と、前記レンズ支持体の、前記記録媒体に対する前記レンズの走査方向外側に設けられて、磁力により前記レンズの焦点方向の位置を調整し、かつ、前記第１の焦点方向位置調整手段よりも大きい磁力を発生する第２の焦点方向位置調整手段と、を含むことを特徴とするレンズ移動装置である。
【図面の簡単な説明】
【０００８】
【図１】図１は、この実施形態に係るレンズ移動装置を示す側面図である。
【図２】図２は、実施例１に係るディスク装置を示す平面図である。
【図３】図３は、走査方向と焦点方向との説明図である。
【図４】図４は、実施例１に係るディスク装置が備える光ピックアップの光学系を示す斜視図である。
【図５】図５は、実施例１に係るレンズ移動装置が備えるレンズ移動用アクチュエータの変形例を示す説明図である。
【図６−１】図６−１は、実施例１に係るレンズ移動装置の動作を示す説明図である。
【図６−２】図６−２は、実施例１に係るレンズ移動装置の動作を示す説明図である。
【図７−１】図７−１は、実施例２に係るレンズ移動装置の構成を示す説明図である。
【図７−２】図７−２は、実施例２に係るレンズ移動装置の構成を示す説明図である。
【図７−３】図７−３は、実施例２に係るレンズ移動装置の構成を示す説明図である。
【図８−１】図８−１は、実施例２に係るレンズ移動装置の動作を示す説明図である。
【図８−２】図８−２は、実施例２に係るレンズ移動装置の動作を示す説明図である。
【図９−１】図９−１は、アクチュエータ基板をレンズホルダに接着した状態を示す側面図である。
【図９−２】図９−２は、アクチュエータ基板をレンズホルダに接着した状態を示す側面図である。
【図１０】図１０は、実施例２に係るレンズ移動装置において、フォーカスコイル又はトラッキングコイルに電流を流した場合におけるレンズの温度の時間変化を示した説明図である。
【符号の説明】
【０００９】
１  ディスク装置
２  光ピックアップ
２Ｌ  光学系
１５  レンズ
１９  光ディスク
３０Ｉ  内側フォーカスコイル
３０Ｏ  内側フォーカスコイル
４０、４０ａ、１００  レンズ移動装置
５０  レンズホルダ
１０１  第１の焦点方向位置調整手段
１０２  第２の焦点方向位置調整手段
１０３  レンズ
１０４  レンズ支持体
１０５  記録媒体
【発明を実施するための最良の形態】
【００１０】
以下、この発明につき、図面を参照しつつ詳細に説明する。なお、この発明を実施するための最良の形態（以下実施形態という）によりこの発明が限定されるものではない。また、以下に説明する実施の形態における構成要素には、当業者が容易に想定できるもの、あるいは実質的に同一のものが含まれる。【００１１】
図１は、この実施形態に係るレンズ移動装置を示す側面図である。この実施形態に係るレンズ移動装置１００は、ディスク装置の光ピックアップに搭載されて、記録媒体１０５の反りや面振れ等に、レンズ１０３を追従させる。図１に示すように、この実施形態に係るレンズ移動装置１００は、レンズ支持体１０４と、第１の焦点方向位置調整手段１０１と、第２の焦点方向位置調整手段１０２とを含んで構成される。【００１２】
レンズ支持体１０４は、レンズ１０３を支持する。レンズ１０３は、レーザーダイオード等の光源からの光を収束させて記録媒体１０５に照射する。レンズ１０３は、焦点方向Ｆに移動して記録媒体１０５の記録面との焦点を合わせ、また、走査方向Ｓに移動して、記録媒体１０５に記録されている情報を順次読み取ったり、記録媒体１０５へ情報を記録したりする。【００１３】
第１の焦点方向位置調整手段１０１は、レンズ支持体１０４の、記録媒体１０５に対するレンズ１０３の走査方向内側ＩＮに設けられて、磁力Ｐ1によりレンズ１０３の焦点方向Ｆの位置を調整する。第２の焦点方向位置調整手段１０２は、レンズ支持体１０４の、記録媒体１０５に対するレンズ１０３の走査方向外側ＯＵＴ側に設けられて、磁力によりレンズ１０３の焦点方向Ｆの位置を調整し、かつ第１の焦点方向位置調整手段１０１よりも大きい磁力Ｐ2を発生する。ここで、ここで、レンズ１０３の走査方向内側ＩＮは、記録媒体１０５の回転中心軸Ｚｒ側であり、また、レンズ１０３の走査方向外側ＯＵＴは、記録媒体１０５の径方向外側である。【００１４】
このように、この実施形態に係るレンズ移動装置１００では、第２の焦点方向位置調整手段１０２の発生する磁力Ｐ2が、第１の焦点方向位置調整手段１０１の発生する磁力Ｐ1よりも大きい。このため、第１及び第２の焦点方向位置調整手段１０１、１０２によってレンズ１０３をその焦点方向Ｆに移動させた場合、レンズ移動装置１００は、記録媒体１０５の径方向外側の方が径方向内側（すなわち、回転中心軸Ｚｒ側）よりも移動量が大きくなる。【００１５】
その結果、例えば、記録媒体１０５に反りが生じている場合において、レンズ移動装置１００が記録媒体１０５に近づく方向に移動すると、レンズ移動装置１００の走査方向外側が記録媒体１０５側に傾く。これによって、記録媒体１０５の反りにレンズ１０３を追従させることができる。また、レンズ移動装置１００が記録媒体１０５から離れる方向に移動すると、レンズ移動装置１００の走査方向外側が記録媒体１０５から離れる方向に傾く。これによって、記録媒体１０５の反りにレンズ１０３を追従させることができる。【００１６】
そして、この実施形態に係るレンズ移動装置１００では、第１の焦点方向位置調整手段１０１及び第２の焦点方向位置調整手段１０２の磁力を調整することにより、レンズ１０３が記録媒体１０５の反りや面振れに追従する特性を調整することができる。したがって、レンズ支持体１０４を支持するばねの特性を変更する場合と比較して、レンズ１０３の追従特性を調整することが大幅に容易となる。【００１７】
ここで、第１の焦点方向位置調整手段１０１及び第２の焦点方向位置調整手段１０２はコイルを用いることができる。そして、第２の焦点方向位置調整手段１０２の発生する磁力Ｐ2を、第１の焦点方向位置調整手段１０１の発生する磁力Ｐ1よりも大きくするにあたっては、第２の焦点方向位置調整手段１０２の巻き数を、第１の焦点方向位置調整手段１０１の巻き数よりも多くする。このようにすれば、コイルの巻き数を調整するのみで磁力を調整でき、また、磁力の微調整も容易である。これによって、この実施形態に係るレンズ移動装置１００では、簡易な調整手段により、ディスクの反りや面振れ等に対するレンズの追従性を持たせることができる。【００１８】
また、記録媒体１０５に対するレンズ１０３の走査方向Ｓにおける第２の焦点方向位置調整手段１０２の磁力発生幅を、記録媒体１０５に対するレンズ１０３の走査方向Ｓにおける第１の焦点方向位置調整手段１０１の磁力発生幅よりも大きくして、Ｐ2＞Ｐ1に調整してもよい。このようにしても、簡易な調整手段により、ディスクの反りや面振れ等に対するレンズの追従性を持たせることができる。【００１９】
また、第１の焦点方向位置調整手段１０１及び第２の焦点方向位置調整手段１０２は、レンズ支持体１０４に設けられる基板の表面にコイルを形成することにより構成してもよい。このようにすれば、基板のプリントパターンを変更するだけで、第１の焦点方向位置調整手段１０１等の巻き数や、走査方向Ｓにおける磁力発生幅を変更できる。その結果、簡易な調整手段により、ディスクの反りや面振れ等に対するレンズの追従性を持たせることができる。【００２０】
以上、この実施形態では、光源からの光を収束させて記録媒体１０５に照射するレンズ１０３を支持するレンズ支持体１０４と、前記レンズ支持体１０４の、前記記録媒体１０５に対する前記レンズ１０３の走査方向内側ＩＮに設けられて、磁力Ｐ1により前記レンズ１０３の焦点方向Ｓの位置を調整する第１の焦点方向位置調整手段１０１と、前記レンズ支持体１０４の、前記記録媒体１０５に対する前記レンズ１０３の走査方向外側ＯＵＴに設けられて、磁力により前記レンズ１０３の焦点方向Ｓの位置を調整し、かつ、前記第１の焦点方向位置調整手段１０１よりも大きい磁力Ｐ2を発生する第２の焦点方向位置調整手段１０２と、を含む。そして、この実施形態では、第１の焦点方向位置調整手段１０１及び第２の焦点方向位置調整手段１０２の磁力を調整することにより、レンズ１０３が記録媒体１０５の反りや面振れに追従する特性を調整することができるので、レンズ１０３の追従特性を調整することが容易になる。その結果、簡易な調整手段により、ディスクの反りや面振れ等に対するレンズの追従性を持たせることができる。
【実施例１】
【００２１】
図２は、実施例１に係るディスク装置を示す平面図である。この図は、光ディスク取り付け側とは反対側からディスク装置を見た状態を示している。図３は、走査方向と焦点方向との説明図である。図４は、実施例１に係るディスク装置が備える光ピックアップの光学系を示す斜視図である。このディスク装置１は、ＣＤ（Compact  Disc）やＤＶＤ（Digital  Versatile  Disc）等の光ディスク（記録媒体）に記録された情報を再生する。なお、この実施例に係るディスク装置は、光ディスクへ情報を記録する機能をさらに有していてもよい。【００２２】
ディスク装置１は、通常は筺体の内部に格納される。ディスク装置１は、光ディスク駆動手段や、光ディスクに記録された情報を読み出す情報読み取り手段等を備えている。ディスク装置１が備える枠体１８には、光ディスク駆動手段、情報読み取り手段、情報読み取り手段支持体、情報読み取り手段駆動手段等の機器が取り付けられる。【００２３】
光ディスク駆動手段である電気モータ８は、枠体１８に取り付けられており、光ディスクを回転させる。光ピックアップ２は、光ディスクに記録された情報を読み取るための光学系２Ｌを備える。そして、情報読み取り手段である光ピックアップ２は、光ディスクの回転中に光ディスクの径方向（矢印Ｓ方向、すなわち走査方向）に移動して、光ディスクに記録された情報を読み取る。なお、ディスク装置１が光ディスクへ情報を記録する機能を有している場合には、光ディスクの径方向に移動する過程で光ディスクへ情報を記録する。【００２４】
光ピックアップ２は、情報読み取り手段支持体である主軸３、副軸４によって支持される。なお、主軸３、副軸４は、枠体１８に取り付けられている。ここで、主軸３は、光ピックアップ２の移動方向と傾きとを規制する軸である。光ピックアップ２には、光ピックアップ側支持部である第１軸受部１０1及び第２軸受部１０2が形成されており、主軸３がこれらの内部を貫通している。また、光ピックアップ２には、副軸４と係合する副軸受部１１が形成されている。このような構成によって、光ピックアップ２は、第１軸受部１０1、第２軸受部１０2及び副軸受部１１の３点で主軸３及び副軸４に支持されて、光ディスクの径方向へ移動する。【００２５】
第１軸受部１０1、第２軸受部１０2は、主軸３に嵌合して摺動する。このため、第１軸受部１０1及び第２軸受部１０2の内部へそれぞれ滑り軸受を備えて、主軸３との摩擦を低減する。光ピックアップ２は、情報読み取り手段駆動手段である送りモータ６によって光ディスクの径方向へ移動する。送りモータ６の出力軸には送りねじ５が取り付けられており、光ピックアップ２に設けられる爪７が、前記送りねじ５の外周に形成されるねじ溝と系合する。これによって、送りモータ６を駆動すると、光ピックアップ２が光ディスクの径方向外側又は内側へ移動する。【００２６】
光ピックアップ２を支持する主軸３及び副軸４は、枠体１８に固定支持される。主軸３は、第１支持端部３ｔ1及び第２支持端部３ｔ2が、第１固定ねじ９1及び第２固定ねじ９2によって枠体１８に固定されることによって取り付けられる。また、主軸３には油等の潤滑剤が塗布されており、第１軸受部１０1及び第２軸受部１０2の内部へ設けられる滑り軸受との摩擦を低減する。【００２７】
図３に示すように、光ディスク１９は、電気モータ８により回転中心軸Ｚｒを中心として回転する。光ピックアップ２は、走査方向Ｓに移動して、光ディスク１９から情報を読み取ったり、光ディスク１９に情報を記録したりする。このとき、光ピックアップ２が備えるレンズと、光ディスク１９の情報記録面との焦点距離が一定になるように、後述するレンズ移動装置によって前記レンズの焦点方向Ｆにおける位置が制御される。ここで、走査方向Ｓとは、光ディスク１９の径方向と平行な方向であり、焦点方向Ｆとは、光ディスク１９のディスク面と直交する方向である。【００２８】
図４に示すように、前記光学系２Ｌは、光学系ケース２Ｃ内に格納されている。光学系は、立ち上げミラー１２、合成プリズム１３、ハーフミラー１４、レンズ１５、第１集光レンズ１６ａ、第２集光レンズ１６ｂ、読み取り手段である受光素子１７、光源である半導体レーザーダイオード（以下ＬＤという）２０ａ、２０ｂとを含んでいる。また、ＬＤ２０ａ、２０ｂの周囲温度を測定する温度センサ２１が光学系ケース２Ｃ内に備えられる。ここで、レンズ１５は、この実施例に係るレンズ移動装置４０に支持される。【００２９】
２個のＬＤ２０ａ、２０ｂから出射したレーザー光は、合成プリズム１３で合成された後、ハーフミラー１４で反射される。そして、第１集光レンズ１６ａを通って立ち上げミラー１２で反射されてから、立ち上げミラー１２と対向する位置に配置されるレンズ１５で集光されて光ディスクの記録面へ照射される。このレーザー光は光ディスクの記録面で反射され、レンズ１５、立ち上げミラー１２、第１集光レンズ１６ａ、ハーフミラー１４、第２集光レンズ１６ｂを通って受光素子１７に導かれる。【００３０】
図５は、実施例１に係るレンズ移動装置が備えるレンズ移動用アクチュエータの変形例を示す説明図である。このレンズ移動装置４０は、レンズ１５を支持するレンズ支持体であるレンズホルダ５０に、レンズ１５の焦点方向Ｆにおける位置を調整する、焦点方向位置調整コイル（以下フォーカスコイル）３０Ｏ、３０Ｉが設けられる。ここで、レンズ１５の走査方向外側に設けられるフォーカスコイル３０Ｏを外側フォーカスコイル３０Ｏといい、レンズ１５の走査方向内側に設けられるフォーカスコイル３０Ｉを内側フォーカスコイル３０Ｉという。【００３１】
このレンズ移動装置４０は、外側フォーカスコイル３０Ｏが発生する磁力を、内側フォーカスコイル３０Ｉが発生する磁力よりも大きくしてある。ここで、内側フォーカスコイル３０Ｉが第１の焦点方向位置調整手段に相当し、外側フォーカスコイル３０Ｏが第２の焦点方向位置調整手段に相当する。【００３２】
図５に示すレンズ移動装置４０では、レンズ１５の焦点方向と直交する方向における外側フォーカスコイル３０Ｏの寸法Ｌ２を、レンズ１５の焦点方向と直交する方向における内側フォーカスコイル３０Ｉの寸法Ｌ１よりも大きくしてある。これにより、レンズ１５の焦点方向における磁力の大きさは、内側フォーカスコイル３０Ｉよりも外側フォーカスコイル３０Ｏの方が大きくなる。【００３３】
なお、外側フォーカスコイル３０Ｏの巻き数を内側フォーカスコイル３０Ｉの巻き数よりも多くして、外側フォーカスコイル３０Ｏが発生する磁力を、内側フォーカスコイル３０Ｉが発生する磁力よりも大きくしてもよい。また、前記Ｌ２と前記Ｌ１とを同じ大きさとし、外側フォーカスコイル３０Ｏの内側幅ｌ２を、内側フォーカスコイル３０Ｉの内側幅ｌ１よりも小さくすることにより、外側フォーカスコイル３０Ｏが発生する磁力を、内側フォーカスコイル３０Ｉが発生する磁力よりも大きくしてもよい。【００３４】
図６−１、図６−２は、この実施例に係るレンズ移動装置の動作を示す説明図である。この実施例に係るレンズ移動装置４０は、外側フォーカスコイル３０Ｏの発生する磁力が内側フォーカスコイル３０Ｉの発生する磁力よりも大きい。このため、外側及び内側フォーカスコイル３０Ｏ、３０Ｉによってレンズ１５をその焦点方向Ｆに移動させた場合、レンズ移動装置４０は、光ディスク１９の径方向外側の方が径方向内側よりも移動量が大きくなる。【００３５】
これによって、図６−１に示すように光ディスク１９に反りが生じている場合、レンズ移動装置４０が光ディスク１９に近づく方向に移動すると、レンズ移動装置４０は、走査方向外側Ｏが光ディスク１９側に傾く。その結果、光ディスク１９の反りにレンズ１５を追従させることができる。また、図６−２に示すように、図６−１に示した例とは反対方向の反りが光ディスク１９に生じている場合、レンズ移動装置４０が光ディスク１９から離れる方向に移動すると、レンズ移動装置４０は、走査方向外側Ｏが光ディスク１９に対して離れる方向に傾く。その結果、光ディスク１９の反りにレンズ１５を追従させることができる。次に、第２の実施例を説明する。以下の実施例においては、上記実施例１の構成を適宜適用することができる。
【実施例２】
【００３６】
図７−１〜図７−３は、実施例２に係るレンズ移動装置の構成を示す説明図である。図８−１、図８−２は、実施例２に係るレンズ移動装置の動作を示す説明図である。図７−１に示すように、この実施例に係るレンズ移動装置４０ａは、レンズホルダ５０と、レンズホルダ５０に取り付けられるアクチュエータ基板５１と、レンズホルダ５０に取り付けられる支持ばね５３とを含んで構成される。レンズ１５は、この実施例に係るレンズ移動装置４０ａが備えるレンズホルダ５０に支持される。【００３７】
レンズ支持体に相当するレンズホルダ５０は、レンズ１５を支持する本体部５０Ｂと、本体部５０Ｂに設けられる支持腕５０Ａとで構成される。この実施例において、支持腕５０Ａは、本体部５０Ｂと一体に形成されている。そして、支持腕５０Ａには、ばね５３が取り付けられている。ばね５３の一方の端部は支持腕５０Ａに固定されており、また、ばね５３の他方の端部は光ピックアップ２に固定される。これによって、レンズホルダ５０は、ばね５３を介して光ピックアップ２に支持される。そして、レンズホルダ５０は、ばね５３が光ピックアップ２に固定されている部分を中心として揺動可能に構成される（図７−１、図７−２参照）。【００３８】
レンズホルダ５０の第１及び第２側面５０Ｓ1、５０Ｓ2には、それぞれアクチュエータ基板５１が取り付けられる。そして、レンズホルダ５０は、２枚のアクチュエータ基板５１によって挟持される。ここで、レンズホルダ５０の第１及び第２側面５０Ｓ1、５０Ｓ2は、レンズ１５の焦点方向Ｆと平行、かつ、レンズ１５の走査方向Ｓと平行な側面である。【００３９】
図７−３に示すように、基板に相当するアクチュエータ基板５１には、レンズ１５の焦点方向Ｆにおける位置を調整する、焦点方向位置調整コイル（以下フォーカスコイルという）３０と、レンズ１５の走査方向Ｓにおける位置を調整する、走査方向位置調整コイル（以下トラッキングコイルという）３１とが形成されて、レンズ移動用アクチュエータ４１を構成する。このように、この実施例に係るレンズ移動用アクチュエータ４１は、プリント基板であるアクチュエータ基板５１上に形成された、いわゆるプリントコイルである。ここで、フォーカスコイル３０が、焦点方向位置調整手段に相当する。【００４０】
フォーカスコイル３０にフォーカス駆動電流Ｉｆが流れると、フォーカスコイル３０が磁界を発生し、レンズホルダ５０とともにレンズ１５を焦点方向Ｆ（この例では矢印Ｆ1方向）に移動させる（図８−１）。これによって、レンズ１５と光ディスク１９との距離（焦点距離）を制御する。また、トラッキングコイル３１にトラッキング駆動電流Ｉｔが流れると、トラッキングコイル３１が磁界を発生し、レンズホルダ５０とともにレンズ１５を走査方向Ｓ（この例では矢印Ｓ1方向）に移動させる（図８−２）。これによって、レンズ１５の走査方向Ｓにおける位置を制御する。【００４１】
図７−３に示すように、アクチュエータ基板５１には、２個のトラッキングコイル３１がレンズ１５の走査方向Ｓに向かって並べて配置されている。また、アクチュエータ基板５１には、レンズ１５の走査方向内側Ｉと走査方向外側Ｏとに２個のフォーカスコイル３０が配置される。このように、２個のトラッキングコイル３１は、アクチュエータ基板５１上において、２個のフォーカスコイル３０に挟まれて配置される。また、この実施例において、フォーカスコイル３０のレンズ１５側における端部３０ｔは、トラッキングコイル３１のレンズ１５側における端部３１ｔよりも、レンズ１５から離れた位置に配置される。ここで、レンズ１５の走査方向内側Ｉは、ディスク装置１が備える光ディスク駆動手段である電気モータ８により回転する光ディスク１９の回転中心軸Ｚｒ側をいい、レンズ１５の走査方向内側Ｉは、光ディスク１９の径方向外側をいう。【００４２】
このように、この実施例に係るレンズ移動装置４０ａでは、２個のフォーカスコイル３０と、２個のトラッキングコイル３１とは、アクチュエータ基板５１上へ、略門形に配置される。そして、アクチュエータ基板５１の形状も、略門形となる。これによって、このレンズ移動装置４０ａは、焦点方向Ｆにおける寸法を小さく抑えることができる。また、アクチュエータ基板５１の開口部分５１ｏにレーザー光を通すことができるので、省スペース化に寄与する。【００４３】
図９−１、図９−２は、アクチュエータ基板をレンズホルダに接着した状態を示す側面図である。なお、図９−１、図９−２のハッチングで示した部分が、接着部分である。図９−１、図９−２に示すように、この実施例に係るレンズ移動装置４０ａでは、２枚のアクチュエータ基板５１が、レンズホルダ５０の第１及び第２側面５０Ｓ1、５０Ｓ2に接着されて固定される。【００４４】
このとき、図９−１、図９−２に示すように、この実施例に係るレンズ移動装置４０ａにおいて、アクチュエータ基板５１にフォーカスコイル３０が設けられる部分（フォーカスコイル形成部分）５１ｆのうち少なくとも一つは、レンズホルダ５０とは非接触としてある。この実施例においては、アクチュエータ基板５１のトラッキングコイル３１が設けられる部分（トラッキングコイル形成部分）５１ｔをレンズホルダ５０の本体部５０Ｂと接着する。【００４５】
そして、アクチュエータ基板５１のフォーカスコイル形成部分５１ｆを、レンズホルダ５０の本体部５０Ｂの外側に配置し、かつ、フォーカスコイル形成部分５１ｆとレンズホルダ５０の支持腕５０Ａとの間に隙間ｔ（図７−１参照）を設ける。なお、この実施例においては、一方のアクチュエータ基板５１のフォーカスコイル形成部分５１ｆと、レンズ１５から遠い方の支持腕５０Ａとは接着されているが（図９−１）、他方のアクチュエータ基板５１のフォーカスコイル形成部分５１ｆとレンズホルダ５０とは非接触、すなわち接着されていない（図９−２）。【００４６】
フォーカスコイル３０の発熱量は、トラッキングコイル３１と比較して大きい。これは次の理由による。フォーカスコイル３０は、レンズ移動用アクチュエータ４１やレンズ１５等の自重を支え、また、光ディスク１９の種類によって焦点距離を変更したり、光ディスク１９の面振れ等に対してレンズを追従させたりするため、トラッキングコイル３１と比較して多くの電流を流す必要がある。その結果、フォーカスコイル３０の発熱量は、トラッキングコイル３１と比較して大きくなる。【００４７】
この実施例に係るレンズ移動装置４０ａでは、上記構成によって、フォーカスコイル形成部分５１ｆと、レンズホルダ５０とが接触する面積を小さくすることができるので、フォーカスコイル３０からレンズホルダ５０へ伝わる熱を少なくすることができる。また、フォーカスコイル３０を、レンズ１５の走査方向内側Ｉと走査方向外側Ｏとに配置することにより、フォーカスコイル３０で発生した熱を空気中に効率よく放熱させることができる。さらに、フォーカスコイル３０を、レンズ１５の走査方向内側Ｉと走査方向外側Ｏとに配置することにより、フォーカスコイル３０とレンズホルダ５０との距離を確保することができるので、フォーカスコイル３０からレンズホルダ５０への伝熱量を抑えることができる。これらの作用によって、フォーカスコイル３０からレンズホルダ５０への伝熱量を抑制することができるので、レンズ１５の耐久性低下を抑制することができる。【００４８】
特に、ディスク装置１が車両に搭載される場合は、高温環境で使用される。このため、レンズ１５の耐熱温度のマージンが少なくなる状態で使用されることになるが、この実施形態に係るレンズ移動装置４０ａを用いれば、レンズ１５の昇温を抑制できるので、レンズ１５の耐熱温度のマージンを大きくすることができる。光ディスク１９の読み出し速度や記録速度を向上させるためには、光ディスク１９を高速回転させる必要があるが、それだけ光ディスク１９の面振れ加速度も大きくなる。この面振れにレンズ１５を追従させるため、フォーカスコイル３０にはより多くの電流を流すので、フォーカスコイル３０の発熱量も増加する。この実施形態に係るレンズ移動装置４０ａを用いれば、レンズ１５の昇温を抑制できるので、昇温が抑制された分、光ディスク１９を高速回転させて、光ディスク１９の読み出し速度や記録速度を向上させることができる。【００４９】
図１０は、この実施例に係るレンズ移動装置において、フォーカスコイル又はトラッキングコイルに電流を流した場合におけるレンズの温度の時間変化を示した説明図である。周囲温度は２５℃である。この実施例に係るレンズ移動装置４０ａは、上述したように、一方のアクチュエータ基板５１のフォーカスコイル形成部分５１ｆと、レンズホルダ５０の支持腕５０Ａとが接着されている。この場合、レンズ移動装置１００が備える４個のフォーカスコイル３０すべての発熱面積（平面視）のうち２０％程度がレンズホルダ５０の支持腕５０Ａと接触している。【００５０】
図１０から分かるように、フォーカスコイル３０はトラッキングコイル３１よりも発熱量が大きいにも関わらず、トラッキングコイル３１のみに通電した場合よりもフォーカスコイル３０のみに通電した場合の方が、レンズ１５の温度Ｔは１０℃程度低い。このように、この実施例に係るレンズ移動装置４０ａでは、フォーカスコイル３０の発熱によるレンズ１５の昇温を抑制できることが確認できた。なお、レンズ移動装置１００が備える４個のフォーカスコイル３０すべての発熱面積のうち、レンズホルダ５０の支持腕５０Ａ等と接触している面積が５０％以下であれば、実用上、レンズ１５の昇温を抑制する効果が得られる。
【産業上の利用可能性】
【００５１】
以上のように、本発明に係るレンズ移動装置及びディスク装置は、光ディスクに対する記録、再生に有用であり、特に、光ディスクの反りや面振れ等に対するレンズの追従性を持たせることに適している。
【図１】
2007029490.tif 000002
【図２】
2007029490.tif 000003
【図３】
2007029490.tif 000004
【図４】
2007029490.tif 000005
【図５】
2007029490.tif 000006
【図６−１】
2007029490.tif 000007
【図６−２】
2007029490.tif 000008
【図７−１】
2007029490.tif 000009
【図７−２】
2007029490.tif 000010
【図７−３】
2007029490.tif 000011
【図８−１】
2007029490.tif 000012
【図８−２】
2007029490.tif 000013
【図９−１】
2007029490.tif 000014
【図９−２】
2007029490.tif 000015
【図１０】
2007029490.tif 000016
【手続補正書】
【提出日】平成20年2月21日(2008.2.21)
【手続補正１】
【補正対象書類名】特許請求の範囲
【補正対象項目名】全文
【補正方法】変更
【補正の内容】
【特許請求の範囲】
【請求項１】
光源からの光を記録媒体に照射するレンズを支持するレンズ支持体と、
前記レンズ支持体の、前記記録媒体に対する前記レンズの走査方向内側に設けられて、磁力により前記レンズの焦点方向の位置を調整する第１の焦点方向位置調整手段と、
前記レンズ支持体の、前記記録媒体に対する前記レンズの走査方向外側に設けられて、磁力により前記レンズの焦点方向の位置を調整し、かつ、前記第１の焦点方向位置調整手段よりも大きい磁力を発生する第２の焦点方向位置調整手段と、
を含み、かつ前記第１の焦点方向位置調整手段及び前記第２の焦点方向位置調整手段はコイルであり、
前記第２の焦点方向位置調整手段の巻き数は、前記第１の焦点方向位置調整手段の巻き数よりも多いことを特徴とするレンズ移動装置。
【請求項２】
光源からの光を記録媒体に照射するレンズを支持するレンズ支持体と、
前記レンズ支持体の、前記記録媒体に対する前記レンズの走査方向内側に設けられて、磁力により前記レンズの焦点方向の位置を調整する第１の焦点方向位置調整手段と、
前記レンズ支持体の、前記記録媒体に対する前記レンズの走査方向外側に設けられて、磁力により前記レンズの焦点方向の位置を調整し、かつ、前記第１の焦点方向位置調整手段よりも大きい磁力を発生する第２の焦点方向位置調整手段と、
を含み、かつ、前記第１の焦点方向位置調整手段及び前記第２の焦点方向位置調整手段はコイルであり、
前記記録媒体に対する前記レンズの走査方向における前記第２の焦点方向位置調整手段の磁力発生幅は、前記記録媒体に対する前記レンズの走査方向における前記第１の焦点方向位置調整手段の磁力発生幅よりも大きいことを特徴とするレンズ移動装置。
【請求項３】
前記第１の焦点方向位置調整手段及び前記第２の焦点方向位置調整手段は、前記レンズ支持体に設けられる基板の表面に形成されることを特徴とする請求項１又は２に記載のレンズ移動装置。
【請求項４】
前記記録媒体に対する前記レンズの走査方向における前記第２の焦点方向位置調整手段の磁力発生幅は、前記記録媒体に対する前記レンズの走査方向における前記第１の焦点方向位置調整手段の磁力発生幅よりも大きいことを特徴とする請求項１に記載のレンズ移動装置。
【請求項５】
光ディスクを回転させる光ディスク駆動手段と、
前記光ディスクに光を照射するための光源と、
光源からの光を記録媒体に照射するレンズを支持するレンズ支持体と、前記レンズ支持体の、前記記録媒体に対する前記レンズの走査方向内側に設けられて、磁力により前記レンズの焦点方向の位置を調整する第１の焦点方向位置調整手段と、前記レンズ支持体の、前記記録媒体に対する前記レンズの走査方向外側に設けられて、磁力により前記レンズの焦点方向の位置を調整し、かつ、前記第１の焦点方向位置調整手段よりも大きい磁力を発生する第２の焦点方向位置調整手段と、を含んで構成されるレンズ移動装置と、
を含み、かつ、前記第１の焦点方向位置調整手段及び前記第２の焦点方向位置調整手段はコイルであり、
前記第２の焦点方向位置調整手段の巻き数は、前記第１の焦点方向位置調整手段の巻き数よりも多いことを特徴とするディスク装置。
【請求項６】
光ディスクを回転させる光ディスク駆動手段と、
前記光ディスクに光を照射するための光源と、
光源からの光を記録媒体に照射するレンズを支持するレンズ支持体と、前記レンズ支持体の、前記記録媒体に対する前記レンズの走査方向内側に設けられて、磁力により前記レンズの焦点方向の位置を調整する第１の焦点方向位置調整手段と、前記レンズ支持体の、前記記録媒体に対する前記レンズの走査方向外側に設けられて、磁力により前記レンズの焦点方向の位置を調整し、かつ、前記第１の焦点方向位置調整手段よりも大きい磁力を発生する第２の焦点方向位置調整手段と、を含んで構成されるレンズ移動装置と、を含み、かつ、前記第１の焦点方向位置調整手段及び前記第２の焦点方向位置調整手段はコイルであり、前記記録媒体に対する前記レンズの走査方向における前記第２の焦点方向位置調整手段の磁力発生幅は、前記記録媒体に対する前記レンズの走査方向における前記第１の焦点方向位置調整手段の磁力発生幅よりも大きいことを特徴とする請求項５に記載のディスク装置。
【請求項７】
前記第１の焦点方向位置調整手段及び前記第２の焦点方向位置調整手段は、前記レンズ支持体に設けられる基板の表面に形成されることを特徴とする請求項５又は６に記載のディスク装置。
【請求項８】
前記記録媒体に対する前記レンズの走査方向における前記第２の焦点方向位置調整手段の磁力発生幅は、前記記録媒体に対する前記レンズの走査方向における前記第１の焦点方向位置調整手段の磁力発生幅よりも大きいことを特徴とする請求項５に記載のディスク装置。
【手続補正２】
【補正対象書類名】明細書
【補正対象項目名】全文
【補正方法】変更
【補正の内容】
【発明の詳細な説明】
【技術分野】
【０００１】
本発明は、光ディスク装置が備える光ピックアップのレンズの位置を調整する技術に関する。
【背景技術】
【０００２】
光ディスク等に記録された情報の再生、あるいは光ディスク等に対して情報の記録、再生を行うディスク装置では、情報の読み取りあるいは情報の記録に用いる光を光学系に設けられたレンズによって収束して、光ディスクへ照射する。このレンズは、一般に支持体へ取り付けられるとともに、支持体に設けられるコイルが発生する磁界によって、焦点方向の位置や走査方向の位置が調整される。特許文献１には、レンズホルダを複数のばねで揺動可能に支持する光ピックアップが開示されている。
【０００３】
【特許文献１】特開２００３−３４６３６８号公報
【発明の開示】
【発明が解決しようとする課題】
【０００４】
ところで、光ディスクは一見すると平面に見えるが、製造ばらつきや使用環境等によって、反りが発生することがある。また、光ディスクは高速で回転するため、光ディスクの質量バランスに偏りがあると、これに起因して光ディスクの面振れが発生することもある。光ディスクに反りが発生したり、回転中に面振れが発生したりすると、光ディスクの傾きが発生して、情報の読み取り性能等に影響を与える。このため、情報の読み取りや記録時には、レンズを光ディスクの記録面等の傾きに対して追従させて、光ディスクの傾きとレンズの傾きとの差を一定値内に維持する必要がある。
【０００５】
特許文献１に開示されている技術では、レンズホルダを支持するばねの寸法や形状等を調整することによって異なるばね定数のばねでレンズホルダを支持することにより、レンズが焦点方向に移動するときにレンズを光ディスクの反りに追従させることが考えられる。しかし、レンズホルダを支持するばねは線径が数十μｍと小さく、ばねの寸法や形状等を数μｍのオーダーで調整することは困難である。
【０００６】
そこで、本発明は、上述した課題をその一例として解決するものであって、簡易な調整手段により、光ディスクの反りや面振れ等に対するレンズの追従性を持たせることができるレンズ移動装置及びディスク装置を提供することを目的とする。
【課題を解決するための手段】
【０００７】
請求項１に記載の発明は、光源からの光を記録媒体に照射するレンズを支持するレンズ支持体と、前記レンズ支持体の、前記記録媒体に対する前記レンズの走査方向内側に設けられて、磁力により前記レンズの焦点方向の位置を調整する第１の焦点方向位置調整手段と、前記レンズ支持体の、前記記録媒体に対する前記レンズの走査方向外側に設けられて、磁力により前記レンズの焦点方向の位置を調整し、かつ、前記第１の焦点方向位置調整手段よりも大きい磁力を発生する第２の焦点方向位置調整手段と、を含み、かつ前記第１の焦点方向位置調整手段及び前記第２の焦点方向位置調整手段はコイルであり、前記第２の焦点方向位置調整手段の巻き数は、前記第１の焦点方向位置調整手段の巻き数よりも多いことを特徴とするレンズ移動装置である。
【発明を実施するための最良の形態】
【０００８】
以下、この発明につき、図面を参照しつつ詳細に説明する。なお、この発明を実施するための最良の形態（以下実施形態という）によりこの発明が限定されるものではない。また、以下に説明する実施の形態における構成要素には、当業者が容易に想定できるもの、あるいは実質的に同一のものが含まれる。
【０００９】
図１は、この実施形態に係るレンズ移動装置を示す側面図である。この実施形態に係るレンズ移動装置１００は、ディスク装置の光ピックアップに搭載されて、記録媒体１０５の反りや面振れ等に、レンズ１０３を追従させる。図１に示すように、この実施形態に係るレンズ移動装置１００は、レンズ支持体１０４と、第１の焦点方向位置調整手段１０１と、第２の焦点方向位置調整手段１０２とを含んで構成される。
【００１０】
レンズ支持体１０４は、レンズ１０３を支持する。レンズ１０３は、レーザーダイオード等の光源からの光を収束させて記録媒体１０５に照射する。レンズ１０３は、焦点方向Ｆに移動して記録媒体１０５の記録面との焦点を合わせ、また、走査方向Ｓに移動して、記録媒体１０５に記録されている情報を順次読み取ったり、記録媒体１０５へ情報を記録したりする。
【００１１】
第１の焦点方向位置調整手段１０１は、レンズ支持体１０４の、記録媒体１０５に対するレンズ１０３の走査方向内側ＩＮに設けられて、磁力Ｐ1によりレンズ１０３の焦点方向Ｆの位置を調整する。第２の焦点方向位置調整手段１０２は、レンズ支持体１０４の、記録媒体１０５に対するレンズ１０３の走査方向外側ＯＵＴ側に設けられて、磁力によりレンズ１０３の焦点方向Ｆの位置を調整し、かつ第１の焦点方向位置調整手段１０１よりも大きい磁力Ｐ2を発生する。ここで、ここで、レンズ１０３の走査方向内側ＩＮは、記録媒体１０５の回転中心軸Ｚｒ側であり、また、レンズ１０３の走査方向外側ＯＵＴは、記録媒体１０５の径方向外側である。
【００１２】
このように、この実施形態に係るレンズ移動装置１００では、第２の焦点方向位置調整手段１０２の発生する磁力Ｐ2が、第１の焦点方向位置調整手段１０１の発生する磁力Ｐ1よりも大きい。このため、第１及び第２の焦点方向位置調整手段１０１、１０２によってレンズ１０３をその焦点方向Ｆに移動させた場合、レンズ移動装置１００は、記録媒体１０５の径方向外側の方が径方向内側（すなわち、回転中心軸Ｚｒ側）よりも移動量が大きくなる。
【００１３】
その結果、例えば、記録媒体１０５に反りが生じている場合において、レンズ移動装置１００が記録媒体１０５に近づく方向に移動すると、レンズ移動装置１００の走査方向外側が記録媒体１０５側に傾く。これによって、記録媒体１０５の反りにレンズ１０３を追従させることができる。また、レンズ移動装置１００が記録媒体１０５から離れる方向に移動すると、レンズ移動装置１００の走査方向外側が記録媒体１０５から離れる方向に傾く。これによって、記録媒体１０５の反りにレンズ１０３を追従させることができる。
【００１４】
そして、この実施形態に係るレンズ移動装置１００では、第１の焦点方向位置調整手段１０１及び第２の焦点方向位置調整手段１０２の磁力を調整することにより、レンズ１０３が記録媒体１０５の反りや面振れに追従する特性を調整することができる。したがって、レンズ支持体１０４を支持するばねの特性を変更する場合と比較して、レンズ１０３の追従特性を調整することが大幅に容易となる。
【００１５】
ここで、第１の焦点方向位置調整手段１０１及び第２の焦点方向位置調整手段１０２はコイルを用いることができる。そして、第２の焦点方向位置調整手段１０２の発生する磁力Ｐ2を、第１の焦点方向位置調整手段１０１の発生する磁力Ｐ1よりも大きくするにあたっては、第２の焦点方向位置調整手段１０２の巻き数を、第１の焦点方向位置調整手段１０１の巻き数よりも多くする。このようにすれば、コイルの巻き数を調整するのみで磁力を調整でき、また、磁力の微調整も容易である。これによって、この実施形態に係るレンズ移動装置１００では、簡易な調整手段により、ディスクの反りや面振れ等に対するレンズの追従性を持たせることができる。
【００１６】
また、記録媒体１０５に対するレンズ１０３の走査方向Ｓにおける第２の焦点方向位置調整手段１０２の磁力発生幅を、記録媒体１０５に対するレンズ１０３の走査方向Ｓにおける第１の焦点方向位置調整手段１０１の磁力発生幅よりも大きくして、Ｐ2＞Ｐ1に調整してもよい。このようにしても、簡易な調整手段により、ディスクの反りや面振れ等に対するレンズの追従性を持たせることができる。
【００１７】
また、第１の焦点方向位置調整手段１０１及び第２の焦点方向位置調整手段１０２は、レンズ支持体１０４に設けられる基板の表面にコイルを形成することにより構成してもよい。このようにすれば、基板のプリントパターンを変更するだけで、第１の焦点方向位置調整手段１０１等の巻き数や、走査方向Ｓにおける磁力発生幅を変更できる。その結果、簡易な調整手段により、ディスクの反りや面振れ等に対するレンズの追従性を持たせることができる。
【００１８】
以上、この実施形態では、光源からの光を収束させて記録媒体１０５に照射するレンズ１０３を支持するレンズ支持体１０４と、前記レンズ支持体１０４の、前記記録媒体１０５に対する前記レンズ１０３の走査方向内側ＩＮに設けられて、磁力Ｐ1により前記レンズ１０３の焦点方向Ｓの位置を調整する第１の焦点方向位置調整手段１０１と、前記レンズ支持体１０４の、前記記録媒体１０５に対する前記レンズ１０３の走査方向外側ＯＵＴに設けられて、磁力により前記レンズ１０３の焦点方向Ｓの位置を調整し、かつ、前記第１の焦点方向位置調整手段１０１よりも大きい磁力Ｐ2を発生する第２の焦点方向位置調整手段１０２と、を含む。そして、この実施形態では、第１の焦点方向位置調整手段１０１及び第２の焦点方向位置調整手段１０２の磁力を調整することにより、レンズ１０３が記録媒体１０５の反りや面振れに追従する特性を調整することができるので、レンズ１０３の追従特性を調整することが容易になる。その結果、簡易な調整手段により、ディスクの反りや面振れ等に対するレンズの追従性を持たせることができる。
【実施例１】
【００１９】
図２は、実施例１に係るディスク装置を示す平面図である。この図は、光ディスク取り付け側とは反対側からディスク装置を見た状態を示している。図３は、走査方向と焦点方向との説明図である。図４は、実施例１に係るディスク装置が備える光ピックアップの光学系を示す斜視図である。このディスク装置１は、ＣＤ（Compact Disc）やＤＶＤ（Digital Versatile Disc）等の光ディスク（記録媒体）に記録された情報を再生する。なお、この実施例に係るディスク装置は、光ディスクへ情報を記録する機能をさらに有していてもよい。
【００２０】
ディスク装置１は、通常は筺体の内部に格納される。ディスク装置１は、光ディスク駆動手段や、光ディスクに記録された情報を読み出す情報読み取り手段等を備えている。ディスク装置１が備える枠体１８には、光ディスク駆動手段、情報読み取り手段、情報読み取り手段支持体、情報読み取り手段駆動手段等の機器が取り付けられる。
【００２１】
光ディスク駆動手段である電気モータ８は、枠体１８に取り付けられており、光ディスクを回転させる。光ピックアップ２は、光ディスクに記録された情報を読み取るための光学系２Ｌを備える。そして、情報読み取り手段である光ピックアップ２は、光ディスクの回転中に光ディスクの径方向（矢印Ｓ方向、すなわち走査方向）に移動して、光ディスクに記録された情報を読み取る。なお、ディスク装置１が光ディスクへ情報を記録する機能を有している場合には、光ディスクの径方向に移動する過程で光ディスクへ情報を記録する。
【００２２】
光ピックアップ２は、情報読み取り手段支持体である主軸３、副軸４によって支持される。なお、主軸３、副軸４は、枠体１８に取り付けられている。ここで、主軸３は、光ピックアップ２の移動方向と傾きとを規制する軸である。光ピックアップ２には、光ピックアップ側支持部である第１軸受部１０1及び第２軸受部１０2が形成されており、主軸３がこれらの内部を貫通している。また、光ピックアップ２には、副軸４と係合する副軸受部１１が形成されている。このような構成によって、光ピックアップ２は、第１軸受部１０1、第２軸受部１０2及び副軸受部１１の３点で主軸３及び副軸４に支持されて、光ディスクの径方向へ移動する。
【００２３】
第１軸受部１０1、第２軸受部１０2は、主軸３に嵌合して摺動する。このため、第１軸受部１０1及び第２軸受部１０2の内部へそれぞれ滑り軸受を備えて、主軸３との摩擦を低減する。光ピックアップ２は、情報読み取り手段駆動手段である送りモータ６によって光ディスクの径方向へ移動する。送りモータ６の出力軸には送りねじ５が取り付けられており、光ピックアップ２に設けられる爪７が、前記送りねじ５の外周に形成されるねじ溝と系合する。これによって、送りモータ６を駆動すると、光ピックアップ２が光ディスクの径方向外側又は内側へ移動する。
【００２４】
光ピックアップ２を支持する主軸３及び副軸４は、枠体１８に固定支持される。主軸３は、第１支持端部３ｔ1及び第２支持端部３ｔ2が、第１固定ねじ９1及び第２固定ねじ９2によって枠体１８に固定されることによって取り付けられる。また、主軸３には油等の潤滑剤が塗布されており、第１軸受部１０1及び第２軸受部１０2の内部へ設けられる滑り軸受との摩擦を低減する。
【００２５】
図３に示すように、光ディスク１９は、電気モータ８により回転中心軸Ｚｒを中心として回転する。光ピックアップ２は、走査方向Ｓに移動して、光ディスク１９から情報を読み取ったり、光ディスク１９に情報を記録したりする。このとき、光ピックアップ２が備えるレンズと、光ディスク１９の情報記録面との焦点距離が一定になるように、後述するレンズ移動装置によって前記レンズの焦点方向Ｆにおける位置が制御される。ここで、走査方向Ｓとは、光ディスク１９の径方向と平行な方向であり、焦点方向Ｆとは、光ディスク１９のディスク面と直交する方向である。
【００２６】
図４に示すように、前記光学系２Ｌは、光学系ケース２Ｃ内に格納されている。光学系は、立ち上げミラー１２、合成プリズム１３、ハーフミラー１４、レンズ１５、第１集光レンズ１６ａ、第２集光レンズ１６ｂ、読み取り手段である受光素子１７、光源である半導体レーザーダイオード（以下ＬＤという）２０ａ、２０ｂとを含んでいる。また、ＬＤ２０ａ、２０ｂの周囲温度を測定する温度センサ２１が光学系ケース２Ｃ内に備えられる。ここで、レンズ１５は、この実施例に係るレンズ移動装置４０に支持される。
【００２７】
２個のＬＤ２０ａ、２０ｂから出射したレーザー光は、合成プリズム１３で合成された後、ハーフミラー１４で反射される。そして、第１集光レンズ１６ａを通って立ち上げミラー１２で反射されてから、立ち上げミラー１２と対向する位置に配置されるレンズ１５で集光されて光ディスクの記録面へ照射される。このレーザー光は光ディスクの記録面で反射され、レンズ１５、立ち上げミラー１２、第１集光レンズ１６ａ、ハーフミラー１４、第２集光レンズ１６ｂ通って受光素子１７に導かれる。
【００２８】
図５は、実施例１に係るレンズ移動装置が備えるレンズ移動用アクチュエータの変形例を示す説明図である。このレンズ移動装置４０は、レンズ１５を支持するレンズ支持体であるレンズホルダ５０に、レンズ１５の焦点方向Ｆにおける位置を調整する、焦点方向位置調整コイル（以下フォーカスコイル）３０Ｏ、３０Ｉが設けられる。ここで、レンズ１５の走査方向外側に設けられるフォーカスコイル３０Ｏを外側フォーカスコイル３０Ｏといい、レンズ１５の走査方向内側に設けられるフォーカスコイル３０Ｉを内側フォーカスコイル３０Ｉという。
【００２９】
このレンズ移動装置４０は、外側フォーカスコイル３０Ｏが発生する磁力を、内側フォーカスコイル３０Ｉが発生する磁力よりも大きくしてある。ここで、内側フォーカスコイル３０Ｉが第１の焦点方向位置調整手段に相当し、外側フォーカスコイル３０Ｏが第２の焦点方向位置調整手段に相当する。
【００３０】
図５に示すレンズ移動装置４０では、レンズ１５の焦点方向と直交する方向における外側フォーカスコイル３０Ｏの寸法Ｌ２を、レンズ１５の焦点方向と直交する方向における内側フォーカスコイル３０Ｉの寸法Ｌ１よりも大きくしてある。これにより、レンズ１５の焦点方向における磁力の大きさは、内側フォーカスコイル３０Ｉよりも外側フォーカスコイル３０Ｏの方が大きくなる。
【００３１】
なお、外側フォーカスコイル３０Ｏの巻き数を内側フォーカスコイル３０Ｉの巻き数よりも多くして、外側フォーカスコイル３０Ｏが発生する磁力を、内側フォーカスコイル３０Ｉが発生する磁力よりも大きくしてもよい。また、前記Ｌ２と前記Ｌ１とを同じ大きさとし、外側フォーカスコイル３０Ｏの内側幅ｌ２を、内側フォーカスコイル３０Ｉの内側幅ｌ１よりも小さくすることにより、外側フォーカスコイル３０Ｏが発生する磁力を、内側フォーカスコイル３０Ｉが発生する磁力よりも大きくしてもよい。
【００３２】
図６−１、図６−２は、この実施例に係るレンズ移動装置の動作を示す説明図である。この実施例に係るレンズ移動装置４０は、外側フォーカスコイル３０Ｏの発生する磁力が内側フォーカスコイル３０Ｉの発生する磁力よりも大きい。このため、外側及び内側フォーカスコイル３０Ｏ、３０Ｉによってレンズ１５をその焦点方向Ｆに移動させた場合、レンズ移動装置４０は、光ディスク１９の径方向外側の方が径方向内側よりも移動量が大きくなる。
【００３３】
これによって、図６−１に示すように光ディスク１９に反りが生じている場合、レンズ移動装置４０が光ディスク１９に近づく方向に移動すると、レンズ移動装置４０は、走査方向外側Ｏが光ディスク１９側に傾く。その結果、光ディスク１９の反りにレンズ１５を追従させることができる。また、図６−２に示すように、図６−１に示した例とは反対方向の反りが光ディスク１９に生じている場合、レンズ移動装置４０が光ディスク１９から離れる方向に移動すると、レンズ移動装置４０は、走査方向外側Ｏが光ディスク１９に対して離れる方向に傾く。その結果、光ディスク１９の反りにレンズ１５を追従させることができる。次に、第２の実施例を説明する。以下の実施例においては、上記実施例１の構成を適宜適用することができる。
【実施例２】
【００３４】
図７−１〜図７−３は、実施例２に係るレンズ移動装置の構成を示す説明図である。図８−１、図８−２は、実施例２に係るレンズ移動装置の動作を示す説明図である。図７−１に示すように、この実施例に係るレンズ移動装置４０ａは、レンズホルダ５０と、レンズホルダ５０に取り付けられるアクチュエータ基板５１と、レンズホルダ５０に取り付けられる支持ばね５３とを含んで構成される。レンズ１５は、この実施例に係るレンズ移動装置４０ａが備えるレンズホルダ５０に支持される。
【００３５】
レンズ支持体に相当するレンズホルダ５０は、レンズ１５を支持する本体部５０Ｂと、本体部５０Ｂに設けられる支持腕５０Ａとで構成される。この実施例において、支持腕５０Ａは、本体部５０Ｂと一体に形成されている。そして、支持腕５０Ａには、ばね５３が取り付けられている。ばね５３の一方の端部は支持腕５０Ａに固定されており、また、ばね５３の他方の端部は光ピックアップ２に固定される。これによって、レンズホルダ５０は、ばね５３を介して光ピックアップ２に支持される。そして、レンズホルダ５０は、ばね５３が光ピックアップ２に固定されている部分を中心として揺動可能に構成される（図７−１、図７−２参照）。
【００３６】
レンズホルダ５０の第１及び第２側面５０Ｓ1、５０Ｓ2には、それぞれアクチュエータ基板５１が取り付けられる。そして、レンズホルダ５０は、２枚のアクチュエータ基板５１によって挟持される。ここで、レンズホルダ５０の第１及び第２側面５０Ｓ1、５０Ｓ2は、レンズ１５の焦点方向Ｆと平行、かつ、レンズ１５の走査方向Ｓと平行な側面である。
【００３７】
図７−３に示すように、基板に相当するアクチュエータ基板５１には、レンズ１５の焦点方向Ｆにおける位置を調整する、焦点方向位置調整コイル（以下フォーカスコイルという）３０と、レンズ１５の走査方向Ｓにおける位置を調整する、走査方向位置調整コイル（以下トラッキングコイルという）３１とが形成されて、レンズ移動用アクチュエータ４１を構成する。このように、この実施例に係るレンズ移動用アクチュエータ４１は、プリント基板であるアクチュエータ基板５１上に形成された、いわゆるプリントコイルである。ここで、フォーカスコイル３０が、焦点方向位置調整手段に相当する。
【００３８】
フォーカスコイル３０にフォーカス駆動電流Ｉｆが流れると、フォーカスコイル３０が磁界を発生し、レンズホルダ５０とともにレンズ１５を焦点方向Ｆ（この例では矢印Ｆ1方向）に移動させる（図８−１）。これによって、レンズ１５と光ディスク１９との距離（焦点距離）を制御する。また、トラッキングコイル３１にトラッキング駆動電流Ｉｔが流れると、トラッキングコイル３１が磁界を発生し、レンズホルダ５０とともにレンズ１５を走査方向Ｓ（この例では矢印Ｓ1方向）に移動させる（図８−２）。これによって、レンズ１５の走査方向Ｓにおける位置を制御する。
【００３９】
図７−３に示すように、アクチュエータ基板５１には、２個のトラッキングコイル３１がレンズ１５の走査方向Ｓに向かって並べて配置されている。また、アクチュエータ基板５１には、レンズ１５の走査方向内側Ｉと走査方向外側Ｏとに２個のフォーカスコイル３０が配置される。このように、２個のトラッキングコイル３１は、アクチュエータ基板５１上において、２個のフォーカスコイル３０に挟まれて配置される。また、この実施例において、フォーカスコイル３０のレンズ１５側における端部３０ｔは、トラッキングコイル３１のレンズ１５側における端部３１ｔよりも、レンズ１５から離れた位置に配置される。ここで、レンズ１５の走査方向内側Ｉは、ディスク装置１が備える光ディスク駆動手段である電気モータ８により回転する光ディスク１９の回転中心軸Ｚｒ側をいい、レンズ１５の走査方向内側Ｉは、光ディスク１９の径方向外側をいう。
【００４０】
このように、この実施例に係るレンズ移動装置４０ａでは、２個のフォーカスコイル３０と、２個のトラッキングコイル３１とは、アクチュエータ基板５１上へ、略門形に配置される。そして、アクチュエータ基板５１の形状も、略門形となる。これによって、このレンズ移動装置４０ａは、焦点方向Ｆにおける寸法を小さく抑えることができる。また、アクチュエータ基板５１の開口部分５１ｏにレーザー光を通すことができるので、省スペース化に寄与する。
【００４１】
図９−１、図９−２は、アクチュエータ基板をレンズホルダに接着した状態を示す側面図である。なお、図９−１、図９−２のハッチングで示した部分が、接着部分である。図９−１、図９−２に示すように、この実施例に係るレンズ移動装置４０ａでは、２枚のアクチュエータ基板５１が、レンズホルダ５０の第１及び第２側面５０Ｓ1、５０Ｓ2に接着されて固定される。
【００４２】
このとき、図９−１、図９−２に示すように、この実施例に係るレンズ移動装置４０ａにおいて、アクチュエータ基板５１にフォーカスコイル３０が設けられる部分（フォーカスコイル形成部分）５１ｆのうち少なくとも一つは、レンズホルダ５０とは非接触としてある。この実施例においては、アクチュエータ基板５１のトラッキングコイル３１が設けられる部分（トラッキングコイル形成部分）５１ｔをレンズホルダ５０の本体部５０Ｂと接着する。
【００４３】
そして、アクチュエータ基板５１のフォーカスコイル形成部分５１ｆを、レンズホルダ５０の本体部５０Ｂの外側に配置し、かつ、フォーカスコイル形成部分５１ｆとレンズホルダ５０の支持腕５０Ａとの間に隙間ｔ（図７−１参照）を設ける。なお、この実施例においては、一方のアクチュエータ基板５１のフォーカスコイル形成部分５１ｆと、レンズ１５から遠い方の支持腕５０Ａとは接着されているが（図９−１）、他方のアクチュエータ基板５１のフォーカスコイル形成部分５１ｆとレンズホルダ５０とは非接触、すなわち接着されていない（図９−２）。
【００４４】
フォーカスコイル３０の発熱量は、トラッキングコイル３１と比較して大きい。これは次の理由による。フォーカスコイル３０は、レンズ移動用アクチュエータ４１やレンズ１５等の自重を支え、また、光ディスク１９の種類によって焦点距離を変更したり、光ディスク１９の面振れ等に対してレンズを追従させたりするため、トラッキングコイル３１と比較して多くの電流を流す必要がある。その結果、フォーカスコイル３０の発熱量は、トラッキングコイル３１と比較して大きくなる。
【００４５】
この実施例に係るレンズ移動装置４０ａでは、上記構成によって、フォーカスコイル形成部分５１ｆと、レンズホルダ５０とが接触する面積を小さくすることができるので、フォーカスコイル３０からレンズホルダ５０へ伝わる熱を少なくすることができる。また、フォーカスコイル３０を、レンズ１５の走査方向内側Ｉと走査方向外側Ｏとに配置することにより、フォーカスコイル３０で発生した熱を空気中に効率よく放熱させることができる。さらに、フォーカスコイル３０を、レンズ１５の走査方向内側Ｉと走査方向外側Ｏとに配置することにより、フォーカスコイル３０とレンズホルダ５０との距離を確保することができるので、フォーカスコイル３０からレンズホルダ５０への伝熱量を抑えることができる。これらの作用によって、フォーカスコイル３０からレンズホルダ５０への伝熱量を抑制することができるので、レンズ１５の耐久性低下を抑制することができる。
【００４６】
特に、ディスク装置１が車両に搭載される場合は、高温環境で使用される。このため、レンズ１５の耐熱温度のマージンが少なくなる状態で使用されることになるが、この実施形態に係るレンズ移動装置４０ａを用いれば、レンズ１５の昇温を抑制できるので、レンズ１５の耐熱温度のマージンを大きくすることができる。光ディスク１９の読み出し速度や記録速度を向上させるためには、光ディスク１９を高速回転させる必要があるが、それだけ光ディスク１９の面振れ加速度も大きくなる。この面振れにレンズ１５を追従させるため、フォーカスコイル３０にはより多くの電流を流すので、フォーカスコイル３０の発熱量も増加する。この実施形態に係るレンズ移動装置４０ａを用いれば、レンズ１５の昇温を抑制できるので、昇温が抑制された分、光ディスク１９を高速回転させて、光ディスク１９の読み出し速度や記録速度を向上させることができる。
【００４７】
図１０は、この実施例に係るレンズ移動装置において、フォーカスコイル又はトラッキングコイルに電流を流した場合におけるレンズの温度の時間変化を示した説明図である。周囲温度は２５℃である。この実施例に係るレンズ移動装置４０ａは、上述したように、一方のアクチュエータ基板５１のフォーカスコイル形成部分５１ｆと、レンズホルダ５０の支持腕５０Ａとが接着されている。この場合、レンズ移動装置１００が備える４個のフォーカスコイル３０すべての発熱面積（平面視）のうち２０％程度がレンズホルダ５０の支持腕５０Ａと接触している。
【００４８】
図１０から分かるように、フォーカスコイル３０はトラッキングコイル３１よりも発熱量が大きいにも関わらず、トラッキングコイル３１のみに通電した場合よりもフォーカスコイル３０のみに通電した場合の方が、レンズ１５の温度Ｔは１０℃程度低い。このように、この実施例に係るレンズ移動装置４０ａでは、フォーカスコイル３０の発熱によるレンズ１５の昇温を抑制できることが確認できた。なお、レンズ移動装置１００が備える４個のフォーカスコイル３０すべての発熱面積のうち、レンズホルダ５０の支持腕５０Ａ等と接触している面積が５０％以下であれば、実用上、レンズ１５の昇温を抑制する効果が得られる。
【産業上の利用可能性】
【００４９】
以上のように、本発明に係るレンズ移動装置及びディスク装置は、光ディスクに対する記録、再生に有用であり、特に、光ディスクの反りや面振れ等に対するレンズの追従性を持たせることに適している。
【図面の簡単な説明】
【００５０】
【図１】図１は、この実施形態に係るレンズ移動装置を示す側面図である。
【図２】図２は、実施例１に係るディスク装置を示す平面図である。
【図３】図３は、走査方向と焦点方向との説明図である。
【図４】図４は、実施例１に係るディスク装置が備える光ピックアップの光学系を示す斜視図である。
【図５】図５は、実施例１に係るレンズ移動装置が備えるレンズ移動用アクチュエータの変形例を示す説明図である。
【図６−１】図６−１は、この実施例に係るレンズ移動装置の動作を示す説明図である。
【図６−２】図６−２は、この実施例に係るレンズ移動装置の動作を示す説明図である。
【図７−１】図７−１は、実施例１に係るレンズ移動装置の構成を示す説明図である。
【図７−２】図７−２は、実施例１に係るレンズ移動装置の構成を示す説明図である。
【図７−３】図７−３は、実施例１に係るレンズ移動装置の構成を示す説明図である。
【図８−１】図８−１は、実施例１に係るレンズ移動装置の動作を示す説明図である。
【図８−２】図８−２は、実施例１に係るレンズ移動装置の動作を示す説明図である。
【図９−１】図９−１は、アクチュエータ基板をレンズホルダに接着した状態を示す側面図である。
【図９−２】図９−２は、アクチュエータ基板をレンズホルダに接着した状態を示す側面図である。
【図１０】図１０は、実施例１に係るレンズ移動装置において、フォーカスコイル又はトラッキングコイルに電流を流した場合におけるレンズの温度の時間変化を示した説明図である。
【符号の説明】
【００５１】
１  ディスク装置
２  光ピックアップ
２Ｌ  光学系
１５  レンズ
１９  光ディスク
３０Ｉ  内側フォーカスコイル
３０Ｏ  内側フォーカスコイル
４０、４０ａ、１００  レンズ移動装置
５０  レンズホルダ
１０１  第１の焦点方向位置調整手段
１０２  第２の焦点方向位置調整手段
１０３  レンズ
１０４  レンズ支持体
１０５  記録媒体
【国際調査報告】
2007029490.tif 000017
2007029490.tif 000018